(57)【要約】【目的】遊技者に飽きられることなく興味が持続する役物を提供する【構成】遊技盤と、前記遊技盤に対して出没自在に設けられた複数の棒状体と、前記棒状体の前記遊技盤に対する垂直方向の位置決めをなす位置決め機構と、を有する遊技機であって、前記棒状体は少なくとも１つの列に沿って配置され、前記位置決め機構は、前記棒状体を前記列における配置の順序に従って順に位置決めをなす。【選択図】図7
2008212456.tif 000002
【特許請求の範囲】
【請求項１】
遊技盤と、前記遊技盤に対して出没自在に設けられた複数の棒状体と、前記棒状体の前記遊技盤に対する垂直方向の位置決めをなす位置決め機構と、を有する遊技機であって、
前記棒状体は少なくとも１つの列に沿って配置され、
前記位置決め機構は、前記棒状体を前記列における配置の順序に従って順に位置決めをなすことを特徴とする遊技機。
【請求項２】
前記棒状体の先端が先鋭に形成されていることを特徴とする請求項１記載の遊技機。
【請求項３】
前記棒状体が互いに密接並置されていることを特徴とする請求項１又は記載の遊技機。
【請求項４】
前記位置決め機構は、前記棒状体の１部の複数を同時に移動せしめることを特徴とする請求項１ないし３のいずれか１に記載の遊技機。
【発明の詳細な説明】
【技術分野】
【０００１】
本発明は、パチンコ機等の遊技球を使用する遊技機に関する。
【背景技術】
【０００２】
パチンコ機等の遊技機は、その種類により普通入賞口、チャッカ等の入賞口が遊技盤面上に設けられている。そのなかで特定の入賞口に遊技球が入賞したときは、例えば盤面上に液晶画面で表示されている図柄が変動したり、センター役物に設けられている装置が駆動したりして遊技者に有利な特別遊技状態へ移行し得る状態であることが提示される。このように遊技機には遊技者の興趣が低下しないように種々の工夫が施されている。更に上記の遊技機には、特定の入賞口の近傍に種々の可動役物を設けて当該入賞口近傍での遊技球の動きに変化を与えて遊技者の興味をより一層引き付けるように企図された遊技機もある。例えば、特許文献1には、入賞口近傍に可動式ガイド片が設けられた遊技機が開示されている。
【特許文献１】特開2002-177501号公報
【発明の開示】
【発明が解決しようとする課題】
【０００３】
しかしながら、特許文献1に示す遊技機の可動式ガイド片は、単に盤面上で揺動するのみであるため動きに意外性が少なく、よって遊技を続けて行くうちに遊技者に飽きられてしまうおそれがあった。
【０００４】
本発明は、以上の如き事情に鑑みてなされたものであり、遊技者に飽きられることなく興味が持続する役物を提供することを目的としている。
【課題を解決するための手段】
【０００５】
本発明に係る遊技機は、遊技盤と、前記遊技盤に対して出没自在に設けられた複数の棒状体と、前記棒状体の前記遊技盤に対する垂直方向の位置決めをなす位置決め機構と、を有する遊技機であって、前記棒状体は少なくとも１つの列に沿って配置され、前記位置決め機構は、前記棒状体を前記列における配置の順序に従って順に位置決めをなすことを特徴としている。
【０００６】
前記棒状体の先端は先鋭に形成されていても良い。また、前記棒状体は互いに密接並置されていても良い。更に、前記位置決め機構は、前記棒状体の１部の複数を同時に移動せしめるように構成されても良い。
【発明の実施の形態】
【０００７】
以下、本発明の実施例による遊技機について、添付図面を参考しつつ詳細に説明する。
【０００８】
図1は本発明の第１実施例の役物を含む遊技装置1の正面図である。遊技装置1は、いわゆるホール等の遊技場所の所定位置に設置される縦長長方形状の本体外枠2からなる。本体外枠2の前面には、ガラス板が装着されたガラス枠3が開閉自在に装着されている。また、本体外枠2の前方下部には、遊技球を貯留する受け皿4、遊技球の打ち出し強さを調整する操作ハンドル5等が設けられた下部扉6が開閉自在に装着されている。また、本体外枠2の上部には、効果音等を発するスピーカ7や遊技状態に応じて発光する電飾装置8が設けられている。
【０００９】
ガラス枠3の後方には、遊技盤9が設けられている。遊技盤9上にはガイドレール10が敷設されており、かかるガイドレール10によって遊技領域9ａが囲繞されている。
【００１０】
遊技領域9ａの略中央部には、一般にセンター役物11が設けられており、その周りには、一般入賞口（図示せず）や特定入賞口12等の入賞口、及び遊技球の流下方向を変化せしめる図示しない遊技釘や風車が設けられている。遊技領域9ａの最下部には入賞しなかった遊技球を回収するアウト口13が設けられている。
【００１１】
図２は本実施例の遊技領域9ａを拡大して示した正面図である。本実施例の遊技領域9ａには、センター役物11と特定入賞口12との間の領域の左右2箇所の各々に、遊技盤に対して出没自在な複数の可動棒状体21-1〜21-nが一列に設けられている。なお図２に示す実施例では、右と左の機構は互いに同等であるので、以下の説明においては、片側のみについて説明を行なう。
【００１２】
図３には複数の可動棒状体21-1〜21-n（図３では一例として１０個の可動棒状体が示されている）の斜視図が示されている。複数の可動棒状体21-1〜21-nは、遊技盤に開けられた孔Hの中で互いに密接して並置されている。なお、図３においては、複数の可動棒状体に対して１つの孔Hが設けられているが、かかる場合に限られるものではなく、例えば複数の可動棒状体の各々に孔が設けられていても良い。また、図３においては、可動棒状体は四角柱の形状を有しているが、遊技釘、円柱、三角柱等の他の形状を有しても良い。図３に示されるように、通常は複数の可動棒状体21-1〜21-nは、最も退避した状態の最大退避位置において静止状態にある。従って、盤面を落下する遊技球は可動棒状体に干渉されることなく当該可動棒状体が設けられている領域を通過することが可能となる。
【００１３】
次に複数の可動棒状体21-1〜21-nが出没する機構について図４を参照しつつ説明する。遊技盤の奥には２枚の支持部材23が、所定のギャップを介して互いに平行且つ盤面に垂直に設置されている。複数の可動棒状体21-1〜21-nはかかる両支持部材23の間に一列に並置されている。支持部材23には、複数の可動棒状体21-1〜21-nに対向する面上であって且つ、複数の可動棒状体21-1〜21-nに対応する位置に後述する可動棒状体の案内ピンが挿嵌されるガイド溝24-1〜24-nが刻設されている。なお、図４は簡単のため１つの可動棒状体21-m及びそれに対応する上下各々１つのガイド溝24-mのみが示されている。
【００１４】
複数の可動棒状体21-1〜21-nの各々には、その上下面に各々２個の同形状の案内ピン22が離間して植設されている。案内ピン22は対応するガイド溝24-1〜24-nに各々２本ずつ摺動自在に挿嵌されており、よって可動棒状体21-1〜21-nはがたつくことなく盤面に垂直な方向に往復動自在となる。
【００１５】
各可動棒状体の後端部には第1立設部25が設けられており、この第1立設部25と支持部材23の端部に設けられた第２立設部26との間にスプリング等の弾性体27が張着されている。これによって、図４に示す如く、複数の可動棒状体21-1〜21-nは盤面から遠ざかる方向に垂直に付勢されて最大退避位置において停止状態となる。
【００１６】
上記した実施例における複数の可動棒状体21-1〜21-nは、上下に各々２個の案内ピン22が設けられた構造を有していたが、がたつくことなく盤面に垂直な方向に摺動自在となるのであればかかる構造に限定されるものではない。例えば、図５に示す可動棒状体121-mように、ガイド溝24-1〜24-nに挿嵌可能な矩形の案内片122を棒状体の上下に各々１個設ける構造であっても良い。これによって部品点数が減少し製造が容易になる。
【００１７】
また、上記の実施例においては、複数の可動棒状体の上下に設けられた両支持部材23の各々に、複数の可動棒状体21-1〜21-nに対応する複数のガイド溝24-1〜24-nを設けて可動棒状体を往復動自在に支持するものであったが、かかる機構に限定されるものではなく、複数の可動棒状体21-1〜21-nに対応する複数の支持部材123-1〜123-nをそれぞれ可動棒状体の上下に設けて可動棒状体を往復動自在に支持する構造であっても良い。これによって、可動棒状体21-1〜21-nの各々を支持部材を含んだ構造でユニット化することが可能となり、よって曲線状や傾斜した直線状等の種々の並置パターンに容易に対応することが可能となる。
【００１８】
更に、上記の実施例では、一列に並んだ複数の可動棒状体21-1〜21-nを２枚の支持部材23によって上下から挟むように支持する構造であったが、かかる構成に限定されるものではなく、例えば、図６に示すように、各可動棒状体221-mに軸方向に伸長した貫通孔28を設け、盤面に平行に固定された１本のシャフト29に全ての可動棒状体21-1〜21-nの貫通孔28を貫通することによって可動棒状体を往復動自在に支持する構造であっても良い。なお、可動棒状体221-mの立設部25に張着されている弾性体27の他端は盤面奥に別途設けられた固定端（図示せず）に固着することになる。このように図６に示す代替例では複数の可動棒状体21-1〜21-nの上下に設けられていた両支持部材23が不要となるので、可動棒状体に出没機構をコンパクトにすることが可能となる。
【００１９】
次に複数の可動棒状体21-1〜21-nを位置決めする機構について図７を参照しながら説明する。
【００２０】
図７には、複数の可動棒状体21-1〜21-nと係合している位置決め機構30が平面図で示されている。図７からわかるように、位置決め機構30は、遊技盤9に垂直に配置されたスライドプレート31を有している。遊技盤の奥には盤面に平行に延在する２本のガイドシャフト32が固定されており、スライドプレート31の４隅に形成されている挿通部31aにガイドシャフト32が挿通せしめられている。よって、スライドプレート31は図７の矢印Xで示す方向に往復動自在にガイドシャフト32に支持されている。スライドプレート31の側面のうち、遊技盤9から遠い側の側面には歯31bが設けられている。この歯31bはモータ34のスピンドルに嵌着された歯車33と噛合している。従って、モータ34を回転させることによって歯車33及び歯31bを介してスライドプレート31が矢印Xで示す方向に移動せしめられる。
【００２１】
スライドプレート31のうち、遊技盤9に近い側の側面には複数の可動棒状体21-1〜21-nの背面に摺動自在に係合する摺接面31cが形成されている。更に、図７からわかるように、摺接面31cの一部には、遊技盤9に向かって隆起する隆起部31dが形成されている。前述の通り、複数の可動棒状体21-1〜21-nは最大退避位置において停止するように付勢されているが、スライドプレート31がX方向に移動することによって隆起部31dが可動棒状体21-1〜21-nに順次当接し、これにより付勢力に抗して隆起部31bに当接している棒状体が図７の矢印Xに垂直な矢印Yの方向、すなわち盤面に垂直に遊技盤面から突出する。なお、図７には隆起部31bに当接して可動棒状体21-2、21-3及び21-4の３つの可動棒状体が遊技盤9から突出している様子が示されている。また、図８にはこのときの突出状態を斜視図で表わしたものが図３と対応して示されている。
【００２２】
スライドプレート31が往復動する行程の開始時点及び終了時点は、リミットスイッチ等の接触センサまたは磁気や光を用いた非接触センサによって検知される。
【００２３】
次に本発明の第２実施例の遊技機の役物を説明する。
【００２４】
図９は第２実施例の支持部材523及び複数の可動棒状体521-1〜521-nの任意の１つの可動棒状体521-mの斜視図、図１０は第２実施例の位置決め機構530の平面図である。
【００２５】
図９に示すように、遊技盤の奥には２枚の支持部材523が、所定のギャップを介して互いに平行且つ盤面に垂直に設置されている。複数の可動棒状体521-1〜521-nはかかる両支持部材523の間に一列に並置されている。上下に配置された支持部材523の各々には、複数の可動棒状体521-1〜521-nに対向する面上であって且つ、複数の可動棒状体521-1〜521-nに対応する位置に後述する案内ピンが挿嵌されるガイド溝524-1〜524-nが刻設されている。更に、上側に設置されている支持部材523のガイド溝524-1〜524-nの各々の底面には、後述する係合ピン551を貫通せしめるための該ガイド溝の幅よりも狭く且つ該ガイド溝に平行な所定の長さの長孔550-1〜550-nが形成されている。なお、図９には簡単のため、521-mに対応する１つの長孔550-mのみが示されている。
【００２６】
複数の可動棒状体521-1〜521-nの各々には、その上下に各々２個の同じ高さの案内ピン522が離間して植設されている。更に可動棒状体521-1〜521-nの上部に植設されている案内ピン522の１つには長孔550-1〜550-nの幅より小なる直径の係合ピン551が案内ピン522の先端から軸方向に突出している。これによって、案内ピン522が対応するガイド溝524-1〜524-nに各々２本ずつ摺動自在に挿嵌された際、がたつくことなく可動棒状体521-1〜521-nは盤面に垂直な方向に往復動自在となり、且つ、係合ピン551が長孔550-1〜550-nを貫通して支持部材523の表面から突出した状態となる。
【００２７】
図１０に示すように、上側の支持部材523の上方には、これと平行してスライドプレート531が設けられている。本実施例のスライドプレート531も、第１実施例と同様、シャフト32によって矢印Xで示す方向に往復動自在に支持され、且つモータ34、歯車33及び歯531bによってスライドプレート531が矢印で示す方向に移動せしめられる機構になっている。
【００２８】
第２実施例においては、スライドプレート531に所定の形状の長孔531cが形成されている。かかる長孔531cに可動棒状体521-1〜521-nの係合ピン551が挿嵌されている。かかる構造により、スライドプレート531が矢印X方向に移動することによって長孔531cの形状に応じて可動棒状体521-1〜521-nが順次X方向に垂直なY方向すなわち盤面に垂直な方向に移動せしめられる。図１０においては、長孔531cの屈曲部531dにおいて可動棒状体521-2、521-3及び521-4が遊技盤面から突出する様子が示されている。
【００２９】
このように、第２実施例においては、可動棒状体を最大退避位置まで付勢せしめる弾性体が不要となるので低コストで簡易に可動棒状体を出没せしめることが可能となる。
【００３０】
上記の第１及び第２の実施例においては、複数の可動棒状体21-1〜21-n及び可動棒状体521-1〜521-nは略直線状に水平に並置されていたが、他の並置方法を採用しても良い。例えば図１１に示す如く所定の振幅を伴った曲線状に並置されても良い。また、水平に対して所定の角度で傾くように並置されていても良い。なお、第１実施例において図１１の如く可動棒状体を並置する場合は、複数の可動棒状体21-1〜21-nの背面にスライドプレート31が確実に当接するようにすべく、複数の可動棒状体によって遊技盤面に平行な面において形成される曲線の振幅と略同程度にスライドプレート31の厚みを形成する必要がある。
【００３１】
また、上記の第１及び第２の実施例においては、複数の可動棒状体21-1〜21-n及び可動棒状体521-1〜521-nが一列に並置された構成であって、例えば図１２に示す如く複数列に可動棒状体が配置されても良い。図１１ではｎ×pのマトリックス状に可動棒状体が配置されている例が示されている。この場合は、例えばｐ個のスライドプレートをモータで往復動せしめることによって可動棒状体を出没させることが可能となる。このとき、例えば、p個のスライドプレートに形成されている隆起部や長孔形状を互いに異なるものにすることによって、種々の記号や絵柄を左右に移動せしめるようにすることが可能となる。
【００３２】
また可動棒状体の先端は図１３に示すようにくさび状に形成されても良い。これにより、可動棒状体が突出する際に遊技球Bが可動棒状体の先端とガラス板との間に挟まれかけた場合であっても、くさび部Sによって図示する矢印の方向に遊技球Bに力が加わるため、遊技球Bのかみ込みが回避される。
【００３３】
次に上記した役物の駆動を制御する制御部50について説明する。
【００３４】
図１４は本発明の実施例である遊技装置の制御系を示すブロック図である。制御部50は、各種の情報処理を行なうＣＰＵ（中央演算処理部装置）51、遊技制御プログラムや所要のデータ等を格納するＲＯＭ（書換不可記憶部）52、各種乱数や信号等の一時的データを格納するＲＡＭ（書換可能記憶部）53からなり、電源61から電力が供給されている。制御部50には各種入賞口の始動センサに応じて遊技球の払い出しを行なう払出制御装置71、ハンドル4の回動量に応じた強度で遊技球を発射する発射制御装置72、スピーカ7から出す効果音を制御する音声制御装置73、電飾装置8の点灯を制御する電飾制御装置74が接続されている。制御部50には更に、スライドプレートが行程の端部に到達したことを検知する開始位置センサ62及び終了位置センサ63、並びに遊戯者が操作ハンドルを操作していることを検知するハンドル起動センサ64が接続されている。また、スライドプレートを往復動せしめるモータ34にも接続されている。
【００３５】
図１５には、上記した制御部50で行なわれる可動棒状体の位置決め制御のフローチャートの例が示されている。すなわち、ハンドル起動センサ64によって遊技者が操作ハンドル5を操作していることが検知されると（ステップＳ１１）、タイマのカウントを開始して所定時間が経過すると（ステップＳ１２）、モータ34に反時計回りに回転する回転駆動信号を送ってスライドプレート31、531を左から右に移動せしめる（ステップＳ１３）。その後、スライドプレート31、531の行程の右端部に設けられているセンサによってスライドプレートが右端部に到達したことが検知されると（ステップＳ１４）、モータ34に時計回りに回転する回転駆動信号を送ってスライドプレート31、531を右から左に移動せしめる（ステップＳ１５）。その後、スライドプレート31、531の行程の左端部に設けられているセンサによってスライドプレートが左端部に到達したことが検知されると（ステップＳ１６）、モータ34に停止信号を送ってスライドプレート31、531の移動を停止する（ステップＳ１７）。
【００３６】
上記したように、本発明においては、棒状体の突出位置が連続的に移動しているが如く見えるので、遊技者が棒状体の移動位置を予測することが出来て遊技の興趣が増大する。
【図面の簡単な説明】
【００３７】
【図１】本発明の実施例としての遊技機の外観正面図である。
【図２】本発明の実施例の可動棒状体が設けられた遊技機の盤面の正面図である。
【図３】直線状に並置されている本発明の実施例の可動棒状体の斜視図である。
【図４】本発明の実施例の可動棒状体及びその支持部材を示す分解斜視図である。
【図５】本発明の可動棒状体の代替例の斜視図である。
【図６】本発明の可動棒状体の代替例の斜視図である。
【図７】本発明の実施例の位置決め機構の平面図である。
【図８】図３の可動棒状体の一部が突出している様子を示す斜視図である。
【図９】本発明の他の実施例の可動棒状体及びその支持部材を示す分解斜視図である。
【図１０】本発明の他の実施例の位置決め機構の平面図である。
【図１１】曲線状に並置されている本発明の実施例の可動棒状体の斜視図である。
【図１２】マトリックス状に並置されている本発明の実施例の可動棒状体の斜視図である。
【図１３】本発明の可動棒状体の代替例の側面図である。
【図１４】本発明の実施例である遊技機の制御系のブロック図である。
【図１５】本発明の実施例である遊技機の可動棒状体の位置決めルーチンのフローチャートである。
【符号の説明】
【００３８】
1  パチンコ機（遊技機）
21-1〜21-n、521-1〜521-n  可動棒状体
23、523  支持部材
30、530  位置決め機構
31、531  スライドプレート
34  モータ
50  制御部
【図１】
2008212456.tif 000003
【図２】
2008212456.tif 000004
【図３】
2008212456.tif 000005
【図４】
2008212456.tif 000006
【図５】
2008212456.tif 000007
【図６】
2008212456.tif 000008
【図７】
2008212456.tif 000009
【図８】
2008212456.tif 000010
【図９】
2008212456.tif 000011
【図１０】
2008212456.tif 000012
【図１１】
2008212456.tif 000013
【図１２】
2008212456.tif 000014
【図１３】
2008212456.tif 000015
【図１４】
2008212456.tif 000016
【図１５】
2008212456.tif 000017